(57)【要約】  【課題】視力が低下したものでも縫い針の糸挿通孔に簡単に縫い糸を装着でき、糸挿通孔に装着した部分の縫い糸をしっかり保持することができ余分な縫い糸を必要としない糸挿通孔を有する縫い針を提供できるようにする。  【解決手段】一端が先鋭に形成され他端部分に縫い糸を挿通する糸挿通孔を有する縫い針において、糸挿通孔が当該縫い針の長手方向に伸びるスリット状に形成され、当該縫い針の運針方向下手側の前記スリット状の糸挿通孔から縫い針の運針方向上手側の外側に向けて傾斜する縫い糸導入通路を形成するとともに、スリット状の糸挿通孔の縫い針の運針方向上手側端部を収束させて糸保持部を形成し、当該糸保持部に縫い糸を挟み込んで保持させたとき、縫い糸の太さにより当該糸保持部分が弾性変形して前記縫い糸導入通路が閉じられるように構成した。【選択図】図２
2011167432.tif 000002
【特許請求の範囲】
【請求項１】
一端が先鋭に形成され他端部分に縫い糸を挿通する糸挿通孔を有する縫い針において、糸挿通孔が当該縫い針の長手方向に伸びるスリット状に形成され、当該縫い針の運針方向下手側の前記スリット状の糸挿通孔から縫い針の運針方向上手側の外側に向けて傾斜する縫い糸導入通路を形成するとともに、スリット状の糸挿通孔の縫い針の運針方向上手側端部を収束させて糸保持部を形成し、当該糸保持部に縫い糸を挟み込んで保持させたとき、縫い糸の太さにより当該糸保持部分が弾性変形して前記縫い糸導入通路が閉じられるように構成したことを特徴とする糸挿通孔を有する縫い針。
【請求項２】
縫い糸導入通路を形成する外側に位置する部材の端部を非先鋭にしたことを特徴とする請求項１に記載の縫い糸挿通孔を有する縫い針。
【請求項３】
側面視においてスリット状の糸挿通孔が波型に曲成されていることを特徴とする請求項１または請求項２に記載の糸挿通孔を有する縫い針。
【発明の詳細な説明】
【技術分野】
【０００１】
本発明は糸挿通孔を有する縫い針に関するものである。
【背景技術】
【０００２】
齢を重ねるに連れ、老化現象により視力も徐々に衰え、特に近い距離の物が見にくくなってしまう、いわゆる老眼になってしまう。
視力が低下すると、例えば、繕い物をするとき、針の糸挿通孔に縫い糸を通すことが困難になってくる。
【０００３】
こうした問題に対処するために、特許文献１ならびに特許文献２に開示されているように、糸挿通孔の１部を開き、この開口部分から縫い糸を糸挿通孔に滑り込ませることにより、視力が低下したものでも、従来の環状の糸挿通孔の正面から糸先を通すことなく、縫い針に縫い糸を容易に装着することができるようにしたものがある。
【０００４】
ところがこうしたものでは、従来と同様に、通した糸先側部分を充分に長くしておかなくては、繕いものをしている途中に縫い糸が針の糸挿通孔から抜け出てしまい、再びその針の糸挿通孔に糸を挿通し直さなくてはならず、手間がかかるという問題があった。
【０００５】
そこで、一般的には、通した糸先側部分を充分に長くして抜け止めをし、運針中に縫い糸が抜けることのないようにして縫っているが、こうした場合、「下手の長糸」といわれる状態になるばかりでなく、抜け止めのために長くした部分の糸が、縫製に寄与しない無駄な糸になってしまうという問題があった。
【先行技術文献】
【特許文献】
【０００６】
【特許文献１】特開２００６―１０２２３１号公報
【特許文献２】実開平７−２７４７８号公報
【発明の概要】
【発明が解決しようとする課題】
【０００７】
本発明にかかる糸通孔を有する縫い針は、上記問題に鑑みて提案されたもので、視力が低下したものでも縫い針の糸挿通孔に簡単に縫い糸を装着でき、糸挿通孔に装着した部分の縫い糸をしっかり保持することができ余分な縫い糸を必要としない糸挿通孔を有する縫い針を提供できるようにすることを目的とするものである。
【課題を解決するための手段】
【０００８】
上記目的を達成するために本発明にかかる糸挿通孔を有する縫い針は、一端が先鋭に形成され他端部分に縫い糸を挿通する糸挿通孔を有する縫い針において、糸挿通孔が当該縫い針の長手方向に伸びるスリット状に形成され、当該縫い針の針先部側（運針方向下手側）の前記スリット状の糸挿通孔から縫い針の針後部側（運針方向上手側）の外側に向けて傾斜する縫い糸導入通路を形成するとともに、スリット状の糸挿通孔の縫い針の運針方向上手側端部を収束させて糸保持部を形成し、当該糸保持部に縫い糸を挟み込んで保持させたとき、縫い糸の太さにより当該糸保持部分が弾性変形して前記縫い糸導入通路が閉じられるように構成したことを最も主要な特徴とするものである。
【０００９】
また、本発明にかかる糸挿通孔を有する縫い針では、縫い糸導入通路を形成する外側に位置する部材の端部を非先鋭にしたことや、側面視においてスリット状の糸挿通孔が波型に曲成されていることも特徴とするものである。
【発明の効果】
【００１０】
本発明にかかる糸挿通孔を有する縫い針は、糸挿通孔が当該縫い針の長手方向に伸びるスリット状に形成され、当該縫い針の運針方向下手側の前記スリット状の糸挿通孔から縫い針の運針方向上手側の外側に向けて傾斜する縫い糸導入通路を形成するとともに、スリット状の糸挿通孔の縫い針の運針方向上手側端部を収束させて糸保持部を形成し、当該糸保持部に縫い糸を挟み込んで保持させたとき、縫い糸の太さにより当該糸保持部分が弾性変形して前記縫い糸導入通路が閉じられるように構成してある。
【００１１】
これにより、視力が低下したものでも、縫い糸を縫い糸導入通路からスリット状の糸挿通孔に簡単に挿通することができる。
また、糸挿通孔に挿通された縫い糸は、糸保持部にしっかりと保持されて抜け止めされるので、従来のように余分な糸を必要とせず、「下手の長糸」にならず効率よく、縫い物をすることができる利点がある。
【００１２】
さらに、糸挿通孔の糸保持部に保持された縫い糸により、糸保持部分が弾性変形して縫い糸導入通路が閉塞されるので、縫い糸が糸保持部に挟みこまれてしっかりと保持される。
斯くして糸導入通路が閉塞されると、運針時に糸挿通路の先端による糸や生地を傷めたり、疵つけたりすることがなくなる利点がある。
また、縫い糸導入通路を形成する外側に位置する部材の端部を非先鋭にしたものでは、上記効果に加えて、縫製や運針時にとがった部分で糸や生地をいためることを防止できる利点がある。
【００１３】
加えて、側面視においてスリット状の糸挿通孔を波型に曲成したものでは、糸挿通孔を長く形成することができ、糸保持部に保持される縫い糸をさらにしっかりと保持することができ、縫い糸が不意に抜け外れることがなくなる利点もある。
【図面の簡単な説明】
【００１４】
【図１】は本発明にかかる糸挿通孔を有する縫い針の斜視図である。
【図２】は本発明にかかる糸挿通孔を有する縫い針の要部を拡大した状態の正面図である。
【図３】は本発明にかかる糸挿通孔を有する縫い針の使用手順を示す斜視図である。
【図４】は本発明にかかる糸挿通孔を有する縫い針に縫い糸を装着して状態の斜視図である。
【実施例】
【００１５】
以下、本発明にかかる糸挿通孔を有する縫い針の実施の形態を図面に基づいて説明する。
図１は本発明の糸挿通孔を有する縫い針の斜視図であって、図中符号１は糸挿通孔２を有する縫い針を全体的に示す。
この糸挿通孔２を有する縫い針１は、細径の金属製針本体３の一端を先鋭に形成された針先部４と、他端の針後部５に縫い糸６を装着する糸装着部７を備えて構成されている。
【００１６】
上記糸装着部７は、図１及び図２に示すようにやや扁平に形成され、この扁平な面に縫い針の長手方向に伸びるスリット状の前記糸挿通孔２を形成し、この糸挿通孔２の針先部４側（運針方向下手側）寄りの部分から、針後部５側（運針方向上手側）の外側に向けて形成された糸導入通路８が形成されている。
糸挿通孔２は、針先部４側で開口幅Ｈが大きく、針後部５の端の近傍に伸びる部分に、狭隘に収束させた糸保持部分９を形成するとともに、中央部分が上方に曲がった波形１０に形成されている。
【００１７】
上記糸導入通路８は、上記したように、糸挿通孔２の針先部４側寄りの部分から、針後部５の外側に向けて形成され、その途中部分を傾斜角度を変えた段落ち状に形成されており、この糸導入通路８を形成する端部同士８ａ・８ｂが内外に重なりあう状態になっているが、上記段落ち状の部分を省略して直線状若しくは円弧状に形成することもできる。
【００１８】
上記のように形成された糸挿通孔２を有する縫い針１に縫い糸６を装着する手順を次に説明する。
先ず、図３に示すように縫い糸６を逆Ｕ字状にして一方の手１１に持ち、他方の手１２に持った縫い針１の糸挿通孔２を有する部分を、逆Ｕ字状にされた縫い糸６内を潜らせて折り返された部分６ａを糸導入通路８の開口部分１３より針先部４側の側面に当接させた状態にする。
【００１９】
この状態を保ちながら縫い糸６を静かに縫い針１の針後部５（後端部）側に滑らしてゆく。
縫い糸６の折り返された部分６ａが糸導入通路８の開口部分１３に到達すると、糸導入通路８を形成している内側の端部８ｂが縫い糸６の張力により、図上、下方に撓むために滑ってきた縫い糸６が開口部分１３に落ち込む。この落ち込んだ時の手１１への感触があると、縫い糸６をこれまでの方向とは逆の方向、図上左方に移動させて行く。
すると、縫い糸６は、開口部分１３から糸導入通路８を通って糸挿通孔２の開口幅Ｈが大きい側に落ち込んで入り込み、左方への移動が停止する。
【００２０】
しかる後、縫い糸６を図上右方へゆっくりと、移動させて糸保持部９に銜えさせるのであるが、この縫い糸６を波形１０に形成された糸挿通孔２を移動させるとき、逆Ｕ字状にして手１１に持たれていた縫い糸６の一方端部が、図４に示すように必要最小限になるように長さを調節する。
縫い針１の糸挿通孔２の糸保持部分９に縫い糸６が装着されると、図２に示すように縫い糸６の太さにより糸導入通路８を形成している内側の端部８ｂが押し上げられて、糸導入通路８の開口部分１３が閉じられる。
【００２１】
斯くして、内側の端部８ｂが押し上げられて、糸導入通路８を形成している内側の端部８ｂと外側の端部８aとが当接して開口部分１３が閉じられると、内側の端部８ｂが外側の端部８ａで押さえ込まれるので、それ以上あがらないので、糸保持部分に銜えられた縫い糸６はしっかりと保持される。
これにより、運針中に縫い糸６が縫い針１の糸挿通孔２から不意に抜け出るのを確実に防止することができる。
【００２２】
そして、生地が厚い時や運針中、縫い針１の通りにくいような場合には、縫い針１の針後部５（後端部）を押して縫い針１を進めることが一般的に行われる。
こうしたときでも上述したように、糸導入通路８を形成している内側の端部８ｂと外側の端部８aとが当接して開口部分１３が閉じられていることから、針後部５（後端部）を押す力は、その当接した部分からも針先部４側に伝えられるので、糸挿通孔２が折れにくく、耐久性が低下することがない。
【００２３】
尚、上記実施の形態では、糸導入通路８を形成している外側の端部８ａを先鋭にしてあるが、この先鋭部分を図２中に点線図Ａで示すように円弧状にすることにより、太い縫い糸を装着するときに、その縫い糸６が先鋭部分で突き刺されて傷つくのを防止することができる。
また、上記実施の形態では、縫い糸６を糸導入通路８の開口部分１３の下手側から上手側に摺動させるように説明してあるが、縫い糸６を糸導入通路８の開口部分１３の上手側から下手側に摺動させて糸挿通孔２に装着することもできるのはもちろんのことである。
【００２４】
さらに、上記実施の形態では、糸挿通孔２の形状はストレートにすることができるのはもちろんのこと、図示は省略したが、２つ以上の山を有する波形にすることができるのはいうまでもないことである。
加えて、上記実施の形態では、糸挿通孔２を形成する糸装着部７をやや扁平に形成するようにしてあるが、こうしたものに限られず断面半円状にしたり、断面円形、つまり、縫い針１全体を円柱状にしたりすることも可能である。
【符号の説明】
【００２５】
１・・・縫い針
２・・・糸挿通孔
３・・・針本体
４・・・針先部
５・・・針後部
６・・・縫い糸
６ａ・・・６の折り返し部分
７・・・装着部
８・・・糸導入通路
８ａ・・・外側の端部
８ｂ・・・内側の端部
９・・・糸保持部
１０・・・波型
１１・・・一方の手
１２・・・他方の手
１３・・・開口部分
【図１】
2011167432.tif 000003
【図２】
2011167432.tif 000004
【図３】
2011167432.tif 000005
【図４】
2011167432.tif 000006